(57)【要約】【課題】  傾斜型プレートフィン付熱交換器を有する冷却塔において、散水器から滴下した散水をプレートフィン全体を効率良く濡らすようにし、かつプレートフィンからの水漏れや散水のキャリーオーバを防止することによって、散水と被冷却媒体との熱交換効率を向上させる散水装置を実現する。【解決手段】  冷却塔１内にプレートフィン付熱交換器５をＶ字形に配置し、同プレートフィン付熱交換器を横切る外気の流れｆを形成するとともに、プレートフィン５１に散水して水の蒸発潜熱により熱交換器５内を流れる被冷却媒体を冷却するようにした湿式冷却塔１において、プレートフィン５１に対しその垂直方向の投影面全域に渡り同プレートフィンの上方から水滴を滴下するように構成した。【選択図】      図１
2006189200.tif 000002
【特許請求の範囲】
【請求項１】
冷却塔内にプレートフィン付熱交換器をＶ字形に配置し、同プレートフィン付熱交換器を横切る外気の流れを形成するとともに、同プレートフィンに散水して同プレートフィン付熱交換器内を流れる被冷却媒体を散水の蒸発潜熱により冷却する湿式冷却塔において、前記プレートフィン付熱交換器を垂直方向に投影した投影面全域に渡り同プレートフィン付熱交換器の上方から水滴を滴下するように構成したことを特徴とする湿式冷却塔。
【請求項２】
前記プレートフィン付熱交換器の頂部に、底面及び側面に複数の開孔を有する散水トレイを設け、同散水トレイの側面においては同開孔を高さ方向に分散して配置し、同開孔から散水を滴下するようにしたことを特徴とする請求項１記載の湿式冷却塔。
【請求項３】
前記プレートフィン付熱交換器の上方に同プレートフィンの垂直方向に投影した投影面全域に渡る散水トレイを設け、同散水トレイの底面全域に分散して多数の細孔を設け、同細孔から水を滴下するように構成したことを特徴とする請求項１記載の湿式冷却塔。
【請求項４】
冷却塔内にプレートフィン付熱交換器をＶ字形に配置し、同プレートフィン付熱交換器を横切る外気の流れを形成するとともに、同プレートフィンに散水して水の蒸発潜熱により同プレートフィン付熱交換器内を流れる被冷却媒体を冷却するようにした湿式冷却塔において、前記プレートフィン付熱交換器の上部に水平方向に散水管を設け、同散水管の同プレートフィン付熱交換器に対面する側に多数の細孔を設けたことを特徴とする湿式冷却塔。
【請求項５】
別の散水管を前記プレートフィン付熱交換器の中央部に水平方向に設けたことを特徴とする請求項４記載の湿式冷却塔。
【請求項６】
前記プレートフィン付熱交換器の水漏れが起こる位置に受水トレイを設けたことを特徴とする請求項４記載の湿式冷却塔。
【請求項７】
前記散水管の上部に開閉蓋を設けたことを特徴とする請求項４記載の湿式冷却塔。
【請求項８】
前記プレートフィンの表面に水の流れを分散させるための凸部を設けたことを特徴とする請求項４記載の湿式冷却塔。
【請求項９】
多数のプレートフィンを微小間隔を有して積層し、同プレートフィンを横切る方向に伝熱管を設けたプレートフィン付熱交換器を冷却塔内にＶ字形に配置し、同プレートフィン付熱交換器を横切る外気の流れを形成するとともに、同プレートフィンに散水して水の蒸発潜熱により前記伝熱管を流れる被冷却媒体を冷却するようにした湿式冷却塔において、前記プレートフィンの少なくとも上部に配設された伝熱管を多孔質材からなる散水管と置き換えることを特徴とする湿式冷却塔。
【請求項１０】
前記伝熱管のうち前記プレートフィンの中央部又は下部に設けられた伝熱管を前記散水管と置き換えることを特徴とする請求項９記載の湿式冷却塔。
【発明の詳細な説明】
【技術分野】
【０００１】
本発明は、プレートフィン付き熱交換器を傾斜して配置した傾斜型の湿式熱交換器を有する湿式冷却塔の改良に係り、散水器から散布される水をプレートフィン全体に効率良く散水できるようにした改良した湿式冷却器に関する。
【背景技術】
【０００２】
従来ケーシングの内部にプレートフィン付熱交換器を垂直方向に四方ぐるりと環状に配置し、このプレートフィン付熱交換器を横切る外気の流れを形成するとともに、上部から散水装置の水を散水する密閉式の冷却塔は公知である。この種の冷却塔は、プレートフィン付熱交換器のプレートフィンを垂直方向に配置しているが、プレートフィンの熱交換パネル面積を大きく取れない、熱交換パネルの配置に制約がある、等の問題点がある。
これに対しプレートフィン付熱交換器をＶ字形に配置した傾斜型は、伝熱面積を広く取れ、かつシステムをコンパクトにできる利点がある。
【０００３】
この傾斜型冷却塔は、例えば特許文献１（特開平８−６１８８４号公報）に開示されている。図９は、特許文献１に開示された傾斜型冷却塔の縦断立面図、図１０は、前記冷却塔内に配置されたプレートフィン付熱交換器０５の一部を省略した縦断立面図、図１１は、前記冷却塔の散水器０７の拡大断面図、図１２は、前記冷却塔のプレートフィン付熱交換器０５の斜視図である。
この形式の冷却塔を図９〜１２に基づいて説明する。図９において、密閉された筐体０１の上部に外気を吸引するファン０２が設けられ、また筐体０１の側面にはルーバ０３が設けられ、これによってルーバ０３から筐体０１内に導入され、ファン０２から導出される外気ｆの流れが形成される。
【０００４】
この外気ｆの流れの中にプレートフィン付熱交換器０５が環状にＶ字形に配置されている。図１２において、０５１は、例えば１〜２ｍｍの間隔をもって積層される厚さが０．１〜０．２ｍｍのプレートフィンで、通常アルミ製かあるいはアルミ製の表面に防錆剤をコーティングしてなり、このプレートフィン０５１間に水が滴下され、プレートフィン０５１の表面に水膜を形成させ、この水膜を外気ｆと接触させて、伝熱管０５２内を流れる例えば冷媒０６等の被冷却媒体から水の蒸発潜熱を奪うことにより、被冷却媒体を冷却するようにしている。
【０００５】
図９において、０７はプレートフィン付熱交換器０５の頂部に設けられた散水器であり、散水器０７から滴下された水がプレートフィン０５１の表面に水膜を形成し、この水膜が外気０４を熱交換した後、下方に設置された受水トレイ０８に溜まる。受水トレイ０８に溜まった水はポンプ０９により散水器０７に循環されて再利用される。なお、０４は循環管路である。
図１１において、散水器０７には散水槽０１０が設けられ、散水槽０１０には散水ｗが溜められている。散水槽０１０の底部は例えば積層グラスウール等多孔質材からなる多孔板０１１で構成され、散水ｗがこの多孔板０１１を染み出してプレートフィン０５１に滴下するようになっている。
【０００６】
【特許文献１】特開平８−６１８８４号公報
【発明の開示】
【発明が解決しようとする課題】
【０００７】
しかしながら傾斜型のプレートフィン付熱交換器は、図９に示すように、プレートフィン０５１が傾斜している一方で、散水の滴下方向が鉛直下向きであるので、図１０に示すように、プレートフィン０５１の濡れ部ａがプレートフィン０５１の全体に行渡らず、特にプレートフィン中央部０５１ａから下方が濡れにくい傾向を示している。また散水ｗがプレートフィン０５１の下部まで流れず、水漏れｗ１を起こしている。これを防ぐため、散水装置をプレートフィンの中央部に配置すると、空気の流れを阻害する恐れがある。
【０００８】
また傾斜型は、垂直配置型に比べ、受水トレイの構造が複雑化するとともに、多量の水を流せないという問題点がある。さらにプレートフィン付熱交換器０５が垂直配置型に比べファン０２に接近して配置されるために、図１０に示すように、水滴ｗ２が外気ｆとともに、筐体０１の外に運ばれるキャリーオーバの問題もある。
【０００９】
本発明は、かかる従来技術の課題に鑑み、傾斜型プレートフィン付熱交換器を有する冷却塔において、散水器から滴下した散水をプレートフィン全体を効率良く濡らすようにし、かつプレートフィンからの水漏れや散水のキャリーオーバを防止することによって、散水と被冷却媒体との熱交換効率を向上させる散水装置を実現することを目的とする。
【課題を解決するための手段】
【００１０】
本発明の第１の手段は、かかる目的を達成するもので、冷却塔内にプレートフィン付熱交換器をＶ字形に配置し、同プレートフィン付熱交換器を横切る外気の流れを形成するとともに、同プレートフィンに散水して同プレートフィン付熱交換器内を流れる被冷却媒体を散水の蒸発潜熱により冷却する湿式冷却塔において、前記プレートフィン付熱交換器を垂直方向に投影した投影面全域に渡り同プレートフィン付熱交換器の上方から水滴を滴下するように構成したことを特徴とする湿式冷却塔に係る。
【００１１】
本発明の第１の手段において、好ましくは、前記プレートフィン付熱交換器の頂部に、底面及び側面に複数の開孔を有する散水トレイを設け、同散水トレイの側面においては同開孔を高さ方向に分散して配置し、同開孔から散水を滴下するようにする。これによって散水トレイの底面及び側面の下方に位置するプレートフィンに水滴又は水滴を滴下させることができる。散水トレイの側面では、同開孔を高さ方向に分散して配置しているので、開孔が設けられた高さに応じて流出水の速度が異なり、そのため水平方向に飛ぶ距離も異なり、それによって下方に配置された傾斜プレートフィンの全域に亘り散水することができる。
また好ましくは、前記プレートフィン付熱交換器の上方に同プレートフィンの垂直方向に投影した投影面全域に渡る散水トレイを設け、同散水トレイの底面全域に分散して多数の細孔を設け、同細孔から水を滴下するように構成すれば、傾斜プレートフィンの全域に亘る散水を可能とする。
【００１２】
また本発明の第２の手段は、冷却塔内にプレートフィン付熱交換器をＶ字形に配置し、同プレートフィン付熱交換器を横切る外気の流れを形成するとともに、同プレートフィンに散水して熱交換器内を流れる被冷却媒体を散水の蒸発潜熱により冷却するようにした湿式冷却塔において、前記プレートフィン付熱交換器の上部に水平方向に散水管を設け、同散水管の同プレートフィン付熱交換器に対面する側に多数の細孔を設けたことを特徴とする湿式冷却塔に係る。
【００１３】
本発明の前記第２の手段においては、前記散水管からプレートフィン付熱交換器内部へ散水を行い、濡れにくい熱交換器中央部への散水を可能とする。
本発明の第２の手段において、好ましくは、前記構成に加えて、別の散水管を前記プレートフィン付熱交換器の中央部に水平方向に設けたことによって、さらにプレートフィン全域への散水が可能となる。また好ましくは、前記プレートフィン付熱交換器の水漏れが起こる位置に受水トレイを設けて、水漏れを受けるようにする。受水トレイには、散水回収管を設けて回収し、ポンプにより散水供給源に戻すようにすれば、散水を再循環して使用できる。
【００１４】
また本発明の第２の手段において、好ましくは、前記散水管の上部に開閉蓋を設け、散水管を開閉可能として内部の清掃など散水管のメンテナンスを容易にする。
さらに好ましくは、前記プレートフィンの表面に水の流れを分散させるための凸部を設けて、水がプレートフィンの全域に行渡るようにする。
【００１５】
また本発明の第３の手段は、多数のプレートフィンを微小間隔を有して積層し、同プレートフィンを横切る方向に伝熱管を設けたプレートフィン付熱交換器を冷却塔内にＶ字形に配置し、同プレートフィン付熱交換器を横切る外気の流れを形成するとともに、同プレートフィンに散水して水の蒸発潜熱により前記伝熱管を流れる被冷却媒体を冷却するようにした湿式冷却塔において、前記プレートフィンの少なくとも上部に配設された伝熱管を多孔質材からなる散水管と置き換えることを特徴とする湿式冷却塔に係る。
【００１６】
本発明の第３の手段においては、前記多孔質材の散水管から染み出てきた水がプレートフィンに沿って流れ、プレートフィン全体を濡らすようにする。好ましくは、プレートフィンの中央部又は下部の適宜位置に設けられた伝熱管を記散水管と置き換えることにより、濡れにくいプレートフィン下部をも散水できるようにする。
【発明の効果】
【００１７】
本発明の第１の手段によれば、プレートフィンに対しその垂直方向の投影面全域に渡りプレートフィンの上方から散水を滴下するように構成したことにより、プレートフィンの全域に亘る水濡れを可能とする。
またプレートフィンの全域に亘る水濡れを可能とするため、プレートフィンからの水洩れがなくなり、従って外気による水滴のキャリーオーバも防止できる。
【００１８】
第１の手段において、好ましくは、プレートフィン付熱交換器の頂部に、底面及び側面に複数の開孔を有する散水トレイを設け、同散水トレイの底面及び側面においては同開孔を高さ方向に分散して複数の開孔を設け、同開孔から散水を滴下するようにしたため、開孔が設けられた高さに応じて流出水の速度が異なり、そのため水平方向に飛ぶ距離も異なり、それによって下方に配置された傾斜プレートフィンの全域に亘り散水することができる。
【００１９】
また好ましくは、前記プレートフィン付熱交換器の上方に同プレートフィンの垂直方向の投影面全域に渡る散水トレイを設け、同散水トレイの底面全域に分散して多数の細孔を設け、同細孔から水を滴下するように構成することによって、その下方の配置されたプレートフィンの全域に亘る散水を可能とする。
【００２０】
また本発明の第２の手段によれば、プレートフィン付熱交換器の上部に水平方向に散水管を設け、同散水管の同プレートフィン付熱交換器に対面する側に多数の細孔を設けたことにより、濡れにくい熱交換器中央部への散水を可能とする。
またプレートフィンの全域に亘る水濡れを可能とするため、プレートフィンからの水漏れがなくなり、従って外気による水滴のキャリーオーバも防止できる。
【００２１】
第２の手段において、好ましくは、前記構成に加えて、別の散水管を前記プレートフィン付熱交換器の中央部に水平方向に追設することによって、さらにプレートフィン全域への散水が可能となる。また好ましくは、前記プレートフィン付熱交換器の水漏れが起こる位置に受水トレイを設けることにより、散水の漏れ量を抑えることができる。
【００２２】
本発明の第３の手段は、微小間隔を置いて積層されたプレートフィンを横切る方向に伝熱管を設けたプレートフィン付熱交換器において、プレートフィンの少なくとも上部に配設された伝熱管を多孔質材からなる散水管と置き換えることにより、前記多孔質材の散水管から染み出てきた水がプレートフィンに沿って流れ、プレートフィン全体を濡らすことが可能になる。
またプレートフィンの全域に亘る水濡れを可能とするため、プレートフィンからの水漏れがなくなり、従って外気による水滴のキャリーオーバも防止できる。
また好ましくは、プレートフィンの中央部又は下部に設けられた伝熱管を記散水管と置き換えることにより、濡れにくいプレートフィン下部をも水濡れを可能となる。
【発明を実施するための最良の形態】
【００２３】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【実施例１】
【００２４】
図１は、本発明装置の第１実施例に係るプレートフィン付熱交換器の部分を示し、（ａ）は縦断立面図、（ｂ）は（ａ）中の矢印Ｉｂ方向から視た散水トレイ７の部分側面図である。
本発明装置の第１実施例を示す図１において、第１実施例の湿式冷却塔は、密閉された筐体１の内部にプレートフィンを傾斜して配置した傾斜型のプレートフィン付熱交換器５を有し、密閉された筐体１には、その上面にファン２及び側面にルーバ３が設けられており、ファン２の稼働により、外気ｆがルーバ３から導入され、ファン２から導出される外気流路ｆを形成している。また外気流路ｆを遮るようにプレートフィン付熱交換器５が環状に傾斜して設けられ、熱交換器５のプレートフィンは、１〜２ｍｍの微小間隔を有して積層されており、その間を外気ｆが流通している。また受水トレイ８に溜まった水は、ポンプ９で循環管路４を通って散水トレイ７に循環されて再利用される。
【００２５】
図１（ｂ）において、プレートフィン付熱交換器５の頂部には、散水トレイ７が設けられ、散水トレイ７の底面及び内側側面には多数の細孔７１が開けられている。特に散水トレイ７の側面には、高さ方向に沿って全域に細孔７１が分散して設けられている。
このため散水トレイ７の底面に設けられた細孔７１から水が熱交換器５のプレートフィンに向けて滴下するとともに、散水トレイ７の内側側面に設けられた細孔７１から水流ｗ３が滴下する。特に散水トレイ７の内側側面に設けられた細孔７１から滴下する水流は、異なる高さに分散して設けられているため、高さの違いで水圧が異なり、流出する速度が異なるため、プレートフィンに到達する距離が異なる。従ってプレートフィン全域に亘って散水することができる。
【実施例２】
【００２６】
次に本発明装置の第２実施例を図２に基づいて説明する。図２は、第２実施例の湿式冷却塔を示す縦断立面図である。図２において、プレートフィン付熱交換器５の上方に同プレートフィンの垂直方向の投影面全域に渡る散水トレイ１７を設け、同散水トレイの底面全域を多数の細孔１９を分散して設けた多孔板１８で構成し、多数の細孔から水を下方のプレートフィン付熱交換器５に滴下するようにしたものである。なおその他の構成は図１の第１実施例と同一である。
【００２７】
第２実施例においては、筐体１の上面のほぼ全域を散水トレイ１７で構成し、その底面を構成する多孔板１８から散水することにより、プレートフィン付熱交換器５の全域に亘り散水を可能としている。なお多孔板１８に設けた細孔の径を大きくし、滴下する水滴の径を大きくすることにより、水滴が外気ｆのよって運ばれるキャリーオーバの問題を防ぐことができる。
【実施例３】
【００２８】
次に本発明装置の第３実施例を図３に基づいて説明する。図３は、第３実施例の湿式冷却塔を一部省略して示す縦断立面図である。図３において、プレートフィン付熱交換器５の上部内側に水平方向に散水管２１を設け、散水管２１のプレートフィン付熱交換器５のプレートフィン５１に接する側に多数の細孔２２を設け、細孔２２からプレートフィン付熱交換器５側に散水ｗしている。
その他の構成は、図１と同一の構成を有する。図３は、冷却塔の構成を一部省略している。
第３実施例によれば、上記構成を有することにより、濡れにくい熱交換器５の中央部への散水を容易にすることができる。
【実施例４】
【００２９】
次に本発明装置の第４実施例を図４に基づいて説明する。図４は、第４実施例の湿式冷却塔のうち、プレートフィン付熱交換器５及び循環管路４のみを図示し、他を省略した縦断立面図である。
図４において、第４実施例は、前記第４実施例で設けてある散水管２１に加えて、プレートフィン付熱交換器５の内側中央部にもうひとつの散水管２３を設け、散水管２３のプレートフィン付熱交換器５のプレートフィン５１に接する側に多数の細孔２４を設け、細孔２４からプレートフィン付熱交換器５側に散水ｗしている。
【００３０】
さらに散水の漏れが予想されるプレートフィン付熱交換器５の外側中央部及び外側下部に受水トレイ２５及び２６を設けている。
第４実施例によれば、プレートフィン５１の全体に効率良く散水することができ、全体として散水の量を抑えることができるとともに、受水トレイ２５及び２６を設置することにより、水漏れを抑えることができ、これによって外気によって散水が外部に運ばれるキャリーオーバを防ぐことができる。また冷却水筐体の底部に設けた大型の受水トレイを小型化することができるか、あるいはなくすことも可能となる。なお散水管と受水トレイの数は同数でなくてもよい。
また受水トレイ２５、２６に循環管路を取り付ければ、受水トレイ２５、２６に溜まった水を散水用として再利用することができる。
【実施例５】
【００３１】
次に本発明装置の第５実施例を図５に基づいて説明する。図５は、第５実施例の湿式冷却塔のうち、プレートフィン付熱交換器５及び循環管路４のみを図示し、他を省略した縦断立面図である。図５に示す第５実施例は、図３に示す第３実施例の散水管２１をプレートフィン付熱交換器５の頂部上面の配置した散水管３１としたもので、その他の構成は第３実施例と同一である。
第５実施例によれば、散水管３１を熱交換器５の頂部上面に取り付け、熱交換器５側に接する側に細孔３２を設け、細孔３２から散水ｗすることにより、特に濡れにくい中央部に集中して散水できるため、プレートフィン５１の全体に亘る散水を確実なものにすることができる。
なお散水管３１をプレートフィン付熱交換器５の外側上部に配置しても同様の作用効果を奏することができる。
【実施例６】
【００３２】
次に本発明装置の第６実施例を図６に基づいて説明する。図６は、第６実施例の湿式冷却塔のうち、プレートフィン付熱交換器５及び循環管路４のみを図示し、他を省略した縦断立面図である。図６において、第６実施例は、図４に示す第４実施例と比べて、プレートフィン付熱交換器５の内側上部及び内側中央に水平に配置した散水管３５及び３８に開閉蓋３７及び４０を設けたところが異なり、その他の構成は第４実施例と同一である。
第６実施例によれば、散水管３５及び３８を開閉蓋３７及び４０を取り付けることにより、内部の清掃その他のメンテナンスが容易になるという長所がある。
【実施例７】
【００３３】
次に本発明装置の第７実施例を図７に基づいて説明する。図７は、第７実施例の湿式冷却塔のうち、プレートフィン付熱交換器５のみを図示し、他を省略した縦断立面図である。図７において、第７実施例は、図３又は図４に示される第３実施例又は第４実施例において設けられた散水管２１又は２３と同一構造の散水管４１、４２及び４３をプレートフィン付熱交換器５の内側の上部、中央部及び下部に水平に３列取り付け、かつプレートフィン５１の表面に凸部４７、４８及び４９を設け、プレートフィン付熱交換器５の外側で水洩れが予想される位置に受水トレイ４４、４５及び４６を設けたものである。
【００３４】
第７実施例によれば、プレートフィン５１の表面に水の流下を阻止し、その流れを分散させる凸部４７、４８及び４９を設けることにより、プレートフィン５１の表面に沿って流れる水流を制御し、プレートフィン外への水洩れを最小限に押さえ、熱交換器下部まで水を流すようにしている。これによって熱交換の面積が増加し、熱交換効率を向上させることができる。
また水洩れが予想される位置に受水トレイ４４、４５及び４６を設けたことにより、プレートフィン外への水洩れを確実に防止でき、キャリーオーバも起こさない利点がある。
【実施例８】
【００３５】
次に本発明装置の第８実施例を図８に基づいて説明する。図８（ａ）は、プレートフィン付熱交換器における積層されたプレートフィンを示す斜視図、（ｂ）は、プレートフィン５１の立面図、（ｃ）は多孔質性の散水管の横断面図である。
図８（ａ）において、６１はプレートフィン５１の上部に配置された散水管６１で、散水管６１は多孔質性の材料でつくられ、（ｃ）に示すように内部を流れる水が外部に染み出し、プレートフィン５１の隙間を伝って滴下するようになっている。５２は内部を被冷却媒体が流れる伝熱管である。
【００３６】
第８実施例においては、伝熱管５２の一部を散水器６１に置き換えることにより、プレートフィン５１の全域に亘り散水が行渡るようにしている。
散水器６１に配置は、例えば（ｂ）に示すように、散水ｗがプレートフィン５１の全域に亘るような位置に配置する。濡れにくいプレートフィン５１の下部は、散水管６１の間隔を狭くして対応する。
【産業上の利用可能性】
【００３７】
本発明によれば、プレートフィンを傾斜して配置した傾斜型の湿式熱交換器を有する湿式冷却塔において、散水器から散布される水をプレートフィン全体に効率良く散水でき、かつプレートフィンからの水漏れや散水のキャリーオーバを防止することによって、散水と被冷却媒体との熱交換効率を向上させる散水装置を実現することができる。
【図面の簡単な説明】
【００３８】
【図１】本発明装置の第１実施例に係るプレートフィン付熱交換器の部分を示し、（ａ）は縦断立面図、（ｂ）は（ａ）中の矢印Ｉｂ方向から視た散水トレイ７の部分側面図である。
【図２】本発明装置の第２実施例の湿式冷却塔を示す縦断立面図である。
【図３】本発明装置の第３実施例の湿式冷却塔を一部省略して示す縦断立面図である。
【図４】本発明装置の第４実施例の湿式冷却塔を一部省略して示す縦断立面図である。
【図５】本発明装置の第５実施例の湿式冷却塔を一部省略して示す縦断立面図である。
【図６】本発明装置の第６実施例の湿式冷却塔を一部省略して示す縦断立面図である。
【図７】本発明装置の第７実施例のプレートフィン付熱交換器を示す縦断立面図である。
【図８】本発明装置の第８実施例のプレートフィン付熱交換器を示し、（ａ）はその斜視図、（ｂ）はプレートフィン５１の立面図、（ｃ）は散水器６１の横断面図である。
【図９】従来の傾斜型冷却塔の縦断立面図である。
【図１０】前記傾斜型冷却塔内に配置されたプレートフィン付熱交換器０５の一部を省略した縦断立面図である。
【図１１】前記傾斜型冷却塔の散水器０７の拡大断面図である。
【図１２】前記傾斜型冷却塔のプレートフィン付熱交換器０５の斜視図である。
【符号の説明】
【００３９】
０１、１    筐体
０２、２    ファン
０３、３    ルーバ
０４、４    循環管路
０５、５    プレートフィン付熱交換器
０６    冷媒
０７    散水器
７、１７    散水トレイ
０８、８、２５、２６、４４、４５、４６    受水トレイ
０９、９    循環ポンプ
０１０    散水槽
０１１、１８    多孔板
２１、２３、３１、３５、３８、４１、４２、４３、６１    散水管
１９、２２、２４、３６、３９、７１    細孔
３７、４０    蓋
４７、４８、４９    凸部
０５１、５１    プレートフィン
０５２、５２    伝熱管
ｆ    外気
ｗ    散水
ｗ１    水洩れ
ｗ２    水滴
【図１】
2006189200.tif 000003
【図２】
2006189200.tif 000004
【図３】
2006189200.tif 000005
【図４】
2006189200.tif 000006
【図５】
2006189200.tif 000007
【図６】
2006189200.tif 000008
【図７】
2006189200.tif 000009
【図８】
2006189200.tif 000010
【図９】
2006189200.tif 000011
【図１０】
2006189200.tif 000012
【図１１】
2006189200.tif 000013
【図１２】
2006189200.tif 000014